(57)【要約】【課題】記録媒体の発行、処理並びに精算に係る装置を大幅に変更することなく、消費税取得に伴って生じ得る残高の端数に効率良く対応することを課題とする。【解決手段】カード発行機２０又はカード処理機４０が、残高の使用有効期限を途過するとともにカード精算機５０で精算できない端数の残高が関連付けられたプリペイドカードを受け付け、追加入金を受け付けた際に、受け付けられたプリペイドカードに追加入金額分の残高を追加する。【選択図】        図４
2006122098.tif 000002
【特許請求の範囲】
【請求項１】
支払われた金額分の有価価値が関連付けられた記録媒体を発行する記録媒体発行装置と、前記記録媒体を受け入れて該記録媒体に関連付けられた残高から貸し出した遊技媒体数分の有価価値を減算して残高を更新する記録媒体処理装置と、前記記録媒体を受け入れて該記録媒体に関連付けられた残高を現金に精算する記録媒体精算装置とを有する遊技媒体貸出システムであって、
前記記録媒体発行装置及び／又は前記記録媒体処理装置は、
前記残高の使用有効期限を途過するとともに前記記録媒体精算装置で精算できない端数の残高が関連付けられた記録媒体を受け付ける記録媒体受付手段と、
追加入金を受け付けた際に、前記記録媒体受付手段により受け付けられた記録媒体に追加入金額分の有価価値を追加して関連付ける有価価値追加手段と
を備えたことを特徴とする遊技媒体貸出システム。
【請求項２】
各記録媒体の識別情報と残高を対応づけて記憶する管理テーブルと、端数として取り扱われる上限金額を記憶する記憶手段と、前記記憶手段に記憶した上限金額を任意に設定変更する設定変更手段とを有する管理装置をさらに備えたことを特徴とする請求項１に記載の遊技媒体貸出システム。
【請求項３】
支払った金額分が関連付けられた有価価値から遊技機で貸し出した遊技媒体分の有価価値を減算した記録媒体を受け入れ、該受け入れた記録媒体に関連付けられた残高を現金に精算する記録媒体精算装置であって、
複数の記録媒体を受け付けた際に、各記録媒体に関連付けられた残高を合算する残高合算手段と、
前記残高合算手段により合算された合算額を精算処理する精算処理手段と
を備えたことを特徴とする記録媒体精算装置。
【請求項４】
前記精算処理手段により精算できない端数を前記複数の記録媒体の一つに関連付けて返却処理する端数処理手段をさらに備えたことを特徴とする請求項３に記載の記録媒体精算装置。
【請求項５】
前記精算処理手段により精算できない端数分の遊技媒体を投出する遊技媒体投出手段をさらに備えたことを特徴とする請求項３に記載の記録媒体精算装置。
【請求項６】
支払われた金額分の有価価値が関連付けられた記録媒体を発行する記録媒体発行装置と、前記記録媒体を受け入れて該記録媒体に関連付けられた残高から貸し出した遊技媒体数分の有価価値を減算して残高を更新する記録媒体処理装置と、前記記録媒体を受け入れて該記録媒体に関連付けられた残高を現金に精算する記録媒体精算装置とを有する遊技媒体貸出システムであって、
複数の記録媒体を受け付けた際に、各記録媒体に関連付けられた残高を合算する残高合算手段と、
前記残高合算手段により合算された合算額を前記複数の記録媒体の一つに関連付けて返却処理する処理手段と
を備えたことを特徴とする遊技媒体貸出システム。
【発明の詳細な説明】
【技術分野】
【０００１】
本発明は、支払われた金額分に対応する度数が関連付けられ、遊技機に併設された記録媒体処理装置で遊技媒体を供給処理する遊技媒体貸出システムおよび記録媒体の精算をおこなう記録媒体精算装置に関し、特に、記録媒体の発行、処理並びに精算に係る装置を大幅に変更することなく、消費税取得に伴って生じ得る残高の端数に効率良く対応することができる遊技媒体貸出システムおよび記録媒体精算装置に関する。
【背景技術】
【０００２】
従来、パチンコ店では、店内に配設されたカード発行機によりプリペイドカードに有価価値（投入金額若しくは度数）を価値付けるとともに、このプリペイドカードをパチンコ台に併設されたカードユニットで受け付けてパチンコ玉をパチンコ台に供給するカードシステムが導入されている。また、かかるプリペイドカードに残額若しくは残度数がある場合には、このプリペイドカードをカード精算機に投入することで、残額の精算を受けることもできる（特許文献１等を参照）。
【０００３】
ここで、上記カード発行機では、通常は紙幣のみを受け付け可能としており、１０００円、２０００円、３０００円、５０００円、１００００円（上限は１００００円）を価値付けられたプリペイドカードを発行するのが一般的である。
【０００４】
また、上記カードユニットでは、通常は１００円単位での玉貸しが可能であり、例えば遊技客がカードユニットにプリペイドカードを投入して１００円の玉貸し操作をおこなうと、２５個のパチンコ玉がパチンコ台に投出されることになる。なお、カードユニットに投入したプリペイドカードの残額若しくは残度数が残り少なくなった場合を考慮して、カードユニットに貨幣を追加入金すると、プリペイドカードに新たな金額若しくは度数を追加できるカードシステムが導入されることが多い。
【０００５】
さらに、上記カード精算機は、設置される遊技店と設置されない遊技店が混在しているのが実情であり、たとえカード精算機が設置された場合であっても、１００円以上の硬貨若しくは紙幣による返金しかおこなわない。プリペイドカードに価値づけられた残金若しくは残度数は、１００円単位でおこなわれるためである。
【０００６】
【特許文献１】特開２００２−３４６２００号公報
【発明の開示】
【発明が解決しようとする課題】
【０００７】
しかしながら、上記カードシステムでは、消費税の徴収に効率良く対応できないという問題がある。具体的には、プリペイドカードによる遊技媒体貸出時、該貸出遊技媒体数に対応する金額に対する消費税を徴収しようとすると、１度数（１００円）の玉貸を行なう度に５％の消費税相当額（５円）を回収する必要があるため、カードシステムで１度数当たり１０５円の残高を減算する処理を行わなければならない。これにより、例えば、１００００円のプリペイドカードを用いた各回の玉貸終了時の残額パターン（１０５円ずつ減少）は、１００００円→９８９５円→９７９０円→９６８５円→…となり、プリペイドカードには、１００円以下の端数残高（以下、単に「端数」と言う）が残ることとなる。
【０００８】
ここで、カードユニット（若しくはパチンコ台）の玉投出機構がプリペイドカードの端数に対応するパチンコ玉（例えば１０個）を投出できれば問題ないが、通常は、かかる玉投出機構は２５個単位の玉貸ししか行うことができず、結果的にプリペイドカードの端数分の玉貸しは行えないのが実情である。なお、全国には膨大な数のカードユニット（若しくはパチンコ台）が実運用されているため、これら全てのカードユニット（若しくはパチンコ台）の玉投出機構を１個単位の玉貸しを行えるよう機能変更することは事実上不可能である。
【０００９】
加えて、カード精算機で端数分を精算しようとした場合に、カード精算機に、１００円未満の硬貨を払い出す硬貨払出機構を設ければ、上記端数の精算が可能になるが、かかるカード精算機に１００円未満の硬貨払出機構を設けることとすると、（１）新たな硬貨払出機構の追加によりカード精算機がコストアップしてしまう、（２）カード精算機内部のスペースが限られているので、複数種類（１円、５円、１０円、５０円）の硬貨払出機構を搭載することが現実には難しい、（３）ただでさえ貨幣の補充や回収が煩雑であるにも係わらずその負担がさらに増加してしまう、（４）端数を精算する必要性が機会が累増するためカード精算機の台数を増やさざるを得ず遊技店の負担が増してしまう等の問題点が生ずる。
【００１０】
また、遊技者の立場から言えば、たとえ消費税分を上乗せしてプリペイドカードを販売することとしても、硬貨が足らない場合には多くの釣り銭を受け取らねばならないし、端数分の精算をカード精算機でおこなえたとしても、小銭（硬貨）を余り持ちたがらない遊技客が多いため、必ずしもサービス向上にはつながらない。
【００１１】
以上のことから、従来は、消費税分を遊技店側で負担する内税方式を採らざるを得ないのが実情であり、既存のカード発行機、カードユニットおよびカード精算機などの大幅に変更することなく、いかにして効率良く消費税を徴収するかが極めて重要な課題となっている。なお、かかる課題はパチンコ以外のスロットや他の遊技機を利用する場合にも共通する課題である。
【００１２】
この発明は、上記課題（問題点）に鑑みてなされたものであり、記録媒体の発行、処理並びに精算に係る装置を大幅に変更することなく、消費税取得に伴って生じ得る残高の端数に効率良く対応することができる遊技媒体貸出システムおよび記録媒体精算装置を提供することを目的とする。
【課題を解決するための手段】
【００１３】
上述した課題を解決するため、本発明は、支払われた金額分の有価価値が関連付けられた記録媒体を発行する記録媒体発行装置と、前記記録媒体を受け入れて該記録媒体に関連付けられた残高から貸し出した遊技媒体数分の有価価値を減算して残高を更新する記録媒体処理装置と、前記記録媒体を受け入れて該記録媒体に関連付けられた残高を現金に精算する記録媒体精算装置とを有する遊技媒体貸出システムであって、前記記録媒体発行装置及び／又は前記記録媒体処理装置は、前記残高の使用有効期限を途過するとともに前記記録媒体精算装置で精算できない端数の残高が関連付けられた記録媒体を受け付ける記録媒体受付手段と、追加入金を受け付けた際に、前記記録媒体受付手段により受け付けられた記録媒体に追加入金額分の有価価値を追加して関連付ける有価価値追加手段とを備えたことを特徴とする。
【００１４】
また、本発明は、上記発明において、各記録媒体の識別情報と残高を対応づけて記憶する管理テーブルと、端数として取り扱われる上限金額を記憶する記憶手段と、前記記憶手段に記憶した上限金額を任意に設定変更する設定変更手段とを有する管理装置をさらに備えたことを特徴とする。
【００１５】
また、本発明は、支払った金額分が関連付けられた有価価値から遊技機で貸し出した遊技媒体分の有価価値を減算した記録媒体を受け入れ、該受け入れた記録媒体に関連付けられた残高を現金に精算する記録媒体精算装置であって、複数の記録媒体を受け付けた際に、各記録媒体に関連付けられた残高を合算する残高合算手段と、前記残高合算手段により合算された合算額を精算処理する精算処理手段とを備えたことを特徴とする。
【００１６】
また、本発明は、上記発明において、前記精算処理手段により精算できない端数を前記複数の記録媒体の一つに関連付けて返却処理する端数処理手段をさらに備えたことを特徴とする。
【００１７】
また、本発明は、上記発明において、前記精算処理手段により精算できない端数分の遊技媒体を投出する遊技媒体投出手段をさらに備えたことを特徴とする。
【００１８】
また、本発明は、支払われた金額分の有価価値が関連付けられた記録媒体を発行する記録媒体発行装置と、前記記録媒体を受け入れて該記録媒体に関連付けられた残高から貸し出した遊技媒体数分の有価価値を減算して残高を更新する記録媒体処理装置と、前記記録媒体を受け入れて該記録媒体に関連付けられた残高を現金に精算する記録媒体精算装置とを有する遊技媒体貸出システムであって、複数の記録媒体を受け付けた際に、各記録媒体に関連付けられた残高を合算する残高合算手段と、前記残高合算手段により合算された合算額を前記複数の記録媒体の一つに関連付けて返却処理する処理手段とを備えたことを特徴とする。
【発明の効果】
【００１９】
本発明によれば、記録媒体発行装置及び／又は記録媒体処理装置が、残高の使用有効期限を途過するとともに記録媒体精算装置で精算できない端数の残高が関連付けられた記録媒体を受け付けるとともに追加入金を受け付けた際に、受け付けられた記録媒体に追加入金額分の有価価値を追加して関連付けるよう構成したので、消費税徴収に伴って生じる端数分を有効期限を途過した場合に持ち越すことができる。特に、プリペイドカードの場合には当日しか利用できない場合が多いため、通常残高を持ち越すことはできないが、かかる構成により消費税徴収に伴って生じる端数分を通常残高と別扱いにして取り扱うことで、遊技客の不利を解消することができる。
【００２０】
また、本発明によれば、各記録媒体の識別情報と残高を対応づけて記憶する管理テーブルと、端数として取り扱われる上限金額を記憶しておき、記憶した上限金額を任意に設定変更可能となるよう構成したので、記憶媒体精算装置が収納する貨幣金種に応じて持ち越せる金額を柔軟に変更することができる。
【００２１】
また、本発明によれば、複数の記録媒体を受け付けた際に、各記録媒体に関連付けられた残高を合算し、合算した合算額を精算処理するよう構成したので、残高が存在する複数の記録媒体が存在する場合に、これらを合算して精算することができる。特に、消費税徴収をおこなう場合には、端数を有する記録媒体が数多く存在する可能性が高くなるため、端数を無駄にするという遊技客の不利益を解消することができる。
【００２２】
また、本発明によれば、精算できない端数を複数の記録媒体の一つに関連付けて返却処理するよう構成したので、精算不可能分についても記録媒体の一つに残置することができるため、遊技客による残高の把握が容易になるとともにＴ／Ｃ１０の残高管理が容易になるという効果を奏する。
【００２３】
また、本発明によれば、精算できない端数分の遊技媒体を投出するよう構成したので、精算不可能分についても記録媒体として遊技客に返却できるため、全ての有価価値を遊技客が有効に利用することができる。
【００２４】
また、本発明によれば、複数の記録媒体を受け付けた際に、各記録媒体に関連付けられた残高を合算し、合算した合算額を複数の記録媒体の一つに関連付けて返却処理するよう構成したので、残高が存在する複数の記録媒体が存在する場合に、これらを合算して一カード化し、もって遊技客の円滑な遊技に寄与することができる。特に、消費税徴収をおこなう場合には、端数を有する記録媒体が数多く存在する可能性が高くなるため、端数を無駄にするという遊技客の不利益を解消することができる。
【発明を実施するための最良の形態】
【００２５】
以下に添付図面を参照して、本発明に係る遊技媒体貸出システムおよび記録媒体精算装置の好適な実施例を詳細に説明する。なお、ここでは本発明をパチンコ遊技に適用した場合を示すこととする。
【実施例１】
【００２６】
まず、本実施例１に係る遊技媒体貸出システムの全体構成について説明する。図１は、本実施例１に係る遊技媒体貸出システムの全体構成を示すブロック図である。同図に示すように、この遊技媒体貸出システムは、遊技用記録媒体であるプリペイドカード５に対応付けて有価価値（残高）の管理を行なう管理装置１０と、現金などによる所定の購入操作に基づき、管理装置１０と通信して購入金額分の有価価値を残高として対応付けた後にプリペイドカード５を発行する処理を行うカード発行機２０と、「島」と呼ばれるグループ毎に設置される複数の遊技機４５に対応して配設され、プリペイドカード５を受け入れて対応する遊技機４５の遊技媒体であるパチンコ玉を貸し出す処理を行い、その際、該プリペイドカード５に対応して管理される残高から遊技機４５に対して貸出された遊技媒体数分の価値を減算して残高の更新処理を行うカード処理ユニット４０と、プリペイドカード５を受け入れ、該プリペイドカード５に対応付けられている残高に対応する現金を払い出す精算処理を行うカード精算機５０と、島構成要素（カード処理ユニット４０や遊技機４５等）の制御を司る島コントローラ６０とをローカル・エリア・ネットワーク（ＬＡＮ）７０を介して通信可能に接続して構成される。
【００２７】
管理装置１０は、遊技システム全体を制御統括するコントローラ（ターミナル・コントローラ：以下、「Ｔ／Ｃ」と言う）であり、例えば、図２に示すように、制御部であるＣＰＵ１１、ハードディスクなどの記憶装置１２、動作プログラム等を記憶するメモリ１３、マウスやキーボード等の入力装置１４、ＣＲＴ等の表示装置１５、ＬＡＮ７０を介してカード発行機２０、カード処理ユニット４０、カード精算機５０等の被管理装置との通信を行う通信インタフェース（Ｉ／Ｆ）部１６を備えたＰＣ（パーソナル・コンピュータ）等の情報処理端末により構成される。
【００２８】
Ｔ／Ｃ１０のメモリ１３には、プリペイドカードのカードＩＤごとにその残高を管理するプリペイドカード管理テーブル１３１と、端数の金額単位を記憶する設定記憶領域１３２とが記憶されている。この設定記憶領域１３は、パチンコ玉の貸出単位額（１００円）に消費税（５％）を加算した消費税内包貸出単位額（１０５円＝１度数）を記憶しており、この設定記憶領域１３に記憶したデータは消費税が変更されたような場合に適宜更新することができる。
【００２９】
プリペイドカード管理テーブル１３１は、図３に示すように、カードＩＤ毎に、発行日時、発行金額及び残高などの各種データが記憶されている。発行金額の欄には、当該プリペイドカード５を購入する際に遊技客が支払った購入額が登録されており、残高には残りの金額が登録される。例えば、発行金額１００００円のプリペイドカードを購入した場合は、残高には１００００円が登録されることになる。
【００３０】
Ｔ／Ｃ１０は、上記プリペイド管理テーブル１３１に記憶された有価価値管理情報を用いて、対応するプリペイドカード５に記録された識別データ（カードＩＤ）に対応する残高を管理している。この有価価値管理情報の内容は、遊技者による遊技中、あるいは、遊技の終了時に適宜更新される。一方、プリペイドカード５は、カード発行機２０にて貨幣などを受け入れて発行される紙製の磁気記録カードである。
【００３１】
遊技客が、プリペイドカード５を購入するために、カード発行機２０に貨幣を投入して所定の発行操作を行うと、プリペイドカード５に所定事項が印字・記録されて該プリペイドカード５が発行される。この時、カード発行機２０からＴ／Ｃ１０にプリペイドカード５のカードＩＤ、発行金額などが送出され、Ｔ／Ｃ１０のプリペイドカード管理テーブル１３１（図３参照）に有価価値（発行金額に対応する残額）等がカードＩＤに対応付けられて書き込まれ、該プリペイドカード５がカード処理ユニット４０などで使用可能になる。
【００３２】
カード処理ユニット４０は、各遊技機４５間（台間）にそれぞれ配設されており、遊技機４５が備える玉投出機構と連携してパチンコ玉の貸し出しを行う。このカード処理ユニット４０の前面パネルには、紙幣投入口、硬貨投入口、カード挿入口、金額表示部などが設けられており、遊技機４５には、度数表示部、貸出ボタンなどが設けられている。
【００３３】
遊技者は、予め、カード処理ユニット４０にプリペイドカード５（場合によっては、さらに現金）を投入するとともに、必要に応じて貸出単位（１回の貸出操作により貸し出される度数）を設定しておく。そして、遊技者が貸出ボタンを操作すると、玉投出機構が作動し、遊技機４５の上皿へと貸出単位分のパチンコ玉が投出される。この投出代金は、カードの識別データに対応して予め登録されている価値情報から減算される。
【００３４】
カード処理ユニット４０にプリペイドカード５が装填された状態で、貨幣が直接投入された場合には、貨幣を受け入れて、プリペイドカード５に残高を追加することも可能である。遊技者は、このようにして貸し出された玉を用いて、遊技機４５において遊技を行う。
【００３５】
遊技終了後、カード処理ユニット４０から抜き出したプリペイドカード５に残高がある場合、遊技客は、希望により残高をカード精算機５０により精算することができる。遊技客が精算を希望するプリペイドカード５をカード精算機５０に挿入すると、カード精算機５０は該プリペイドカード５からカードＩＤを読み取り、該読み取ったカードＩＤをキーにＴ／Ｃ１０に残高の問合せを行なう。
【００３６】
その後、カード精算機５０は、Ｔ／Ｃ１０がカード精算機５０からの問合せのあったカードＩＤに対応する残高をプリペイドカード管理テーブル１３１から検索してカード精算機５０に応答情報として送出するのに合わせて、該応答情報を受信し、その後、当該残高に相当する現金を精算金として払い出し、払い出し（精算）終了後、プリペイドカード５を遊技客に返却する。尚、精算済みのプリペイドカード５は必ずしも返却する必要は無く、カード精算機５０の内部に回収するようにしても良い。また、このカード精算機５０では、プリペイドカード５の残額精算は千円札と１００円硬貨で行われるものとする。
【００３７】
次に、プリペイドカードの発行〜精算までの処理についてさらに具体的に説明する。図４は、本実施例１に係る遊技媒体貸出システムにおけるプリペイドカードの発行〜精算までの処理を説明するための説明図である。
【００３８】
図４に示すように、遊技客がカード発行機２０に現金を投入して所望の金額ボタンを押下すると（図中に示す１）、カード発行機２０からＴ／Ｃ１０に対してカード登録依頼がなされ（図中に示す２）、プリペイドカード管理テーブル１３１に登録がなされたならば（図中に示す３）、登録完了がカード発行機２０に対して通知され（図中に示す４）、これに応答してプリペイドカードが発行される（図中に示す５）。
【００３９】
具体的には、遊技客を１００００円を投入して１００００円カードの発行ボタンを押下すると、例えばプリペイドカード管理テーブル１３１のカードＩＤ００２９８の欄に発行金額１００００円、残額１００００円が書き込まれた後に、このカードＩＤ００２９８が書き込まれたプリペイドカードが発行される。
【００４０】
カード発行機２０から発行されたプリペイドカードは、遊技機４５に併設されたカード処理ユニット４０に挿入され（図中に示す６）、遊技台の玉／メダル貸出ボタンが押下されると（図中に示す７）、カード処理ユニット４０とＴ／Ｃ１０の間でデータ授受がなされてプリペイドカード管理テーブル１３１の残高を更新しつつ（図中に示す８）パチンコ玉が遊技台の上皿に投出される。例えば、１回の貸出ボタン操作で５度数分の玉貸しをおこなう場合には、１回の貸出ボタン操作がなされた際に、カードＩＤ００２９８の残高が９４７５円となる。
【００４１】
ここで、遊技機４５のカード返却ボタンが押下されたならば、カード処理ユニット４０はプリペイドカードを返却し（図中に示す９）、他の遊技機での遊技若しくは精算が可能となる。ただし、プリペイドカードの残高が０になると、プリペイドカードをカード処理ユニット４０の内部に取り込むか又は精算できない使用済みのプリペイドカードとして装置外へと排出される。
【００４２】
その後、このプリペイドカードがカード精算機５０に挿入されると（図中に示す１０）、カード精算機５０はＴ／Ｃ１０に対して残高を問い合わせ（図中に示す１１）、Ｔ／Ｃ１０のプリペイドカード管理テーブル１３１に登録した残高をカード精算機５０へと通知し（図中に示す１２）、カード残高、精算額、精算後のカード残高を表示パネルに表示し（図中に示す１３）、精算ボタンが押下されると（図中に示す１４）、表示パネルに表示した精算額を出金するとともに精算できない端数の残高をプリペイドカードに関連付けて投出する（図中に示す１５）。
【００４３】
例えば、カードＩＤ００２９８のプリペイドカード（残高３５６４円）が挿入された場合には、カード残高３５９５円、精算額３５００円、精算後のカード残高９５円という表示をおこない、精算ボタンが押下されると、３５００円を出金するとともに残金９５円分を関連付けたプリペイドカードを投出する。
【００４４】
ここで、本実施例１の特徴は、このプリペイドカードを翌日以降にカード発行機２０に投入して現金を追加入金することにより、カード残高を更新することができる点にある（図中に示す１６）。例えば１００００円を追加入金した場合には、残高は１００９５円に更新されることになる。これにより、消費税徴収に伴う端数を有効利用することができ、遊技客の不利をなくすことができる。
【００４５】
通常、プリペイドカードは当日利用を大前提とする場合が多く、たとえ残高が存在したとしても翌日以降にその残高を持ち越すことはできない。残高があればカード精算機５０を用いて精算すれば足りるからである。しかしながら、消費税を徴収する場合には、遊技客にとって本来意図しない端数が残高として残ってしまう。かかる端数を再利用できないこととすると、消費税徴収に伴う不利益が遊技客にもたらされることになるので、ここでは端数を有するプリペイドカードを持ち越し可能としているのである。
【００４６】
なお、ここでは説明の便宜上、カード発行機２０で端数を持ち越したプリペイドカードに追加入金する場合を示したが、カード処理ユニット４０においても同様に端数を持ち越したプリペイドカードに追加入金することができる。
【００４７】
次に、図１に示したカード発行機２０の処理手順について具体的に説明する。図５は、図１に示したカード発行機２０の処理手順を示すフローチャートである。なお、ここでは説明の便宜上、既存のプリペイドカードの挿入についての説明を省略するが、入金受け付けと並行して既存のプリペイドカードの受け付けがなされる。ただし、既存のプリペイドカードを挿入しなくとも新規プリペイドカードを発行することができる。
【００４８】
同図に示すように、当初カード発行機１０は入金待ちの状態にあり（ステップＳ１０１）、入金を受け付けたならば（ステップＳ１０１肯定）、入金金額を表示する（ステップＳ１０２）。ここで、入金受け付けと並行してプリペイドカードを受け付けたか否か確認し（ステップＳ１０３）、既存のプリペイドカードを受け付けていない場合には（ステップＳ１０３否定）、内部に保持した新規プリペイドカードを発行するとともに（ステップＳ１０４）、このプリペイドカードに選択金額分を価値づけて（ステップＳ１０５）、価値づけたプリペイドカードを排出し（ステップＳ１１２）、釣り銭を払い出す（ステップＳ１１３）。
【００４９】
すなわち、かかる場合は、新規プリペイドカードを発行する通常の発行処理であり、プリペイドカードへの金額の価値付けはＴ／Ｃ１０で行い、Ｔ／Ｃ１０ではこれを残額としてカードＩＤに対応付けてプリペイド管理テーブル１３１で管理することになる。
【００５０】
一方、プリペイドカードを受け付けた場合には（ステップＳ１０３肯定）、そのカード発行日が当日であるか否かを確認する（ステップＳ１０６）。原則として、プリペイドカードは当日でないと使用できないからである。なお、カード発行日時は図３に示したようにプリペイドカード管理テーブル１３１に登録されているので、カード発行機２０はＴ／Ｃ１０にカード発行日時を確認する。
【００５１】
その結果、受け付けたプリペイドカードの発行日が当日である場合には（ステップＳ１０６肯定）、カード残高をＴ／Ｃ１０から取得して表示部に表示するとともに（ステップＳ１１０）、入金金額と残高を合算した合算金額をプリペイドカードに価値付け（ステップＳ１１１）、価値づけたプリペイドカードを排出し（ステップＳ１１２）、釣り銭を払い出す（ステップＳ１１３）。
【００５２】
これに対して、受け付けたプリペイドカードの発行日が当日でない場合には（ステップＳ１０６否定）、カード残高が端数であるか否かを確認する（ステップＳ１０７）。本実施例１では、カード残高が端数である場合にのみ翌日使用を可能としているからである。その結果、カード残高が端数である場合には（ステップＳ１１０肯定）、ステップＳ１１０以降の処理すなわち発行日が当日の場合と同様の処理を行い（ステップＳ１１０〜Ｓ１１３）、カード残高が端数でない場合には（ステップＳ１１０否定）、表示部に使用不可と表示して（ステップＳ１０８）、挿入されたプリペイドカードを排出するとともに（ステップＳ１０９）、ステップＳ１０４以降の処理すなわちプリペイドカードを受け付けていない場合と同様の処理を行う（ステップＳ１０４〜Ｓ１１３）。なお、ここではカード発行機２０の処理について説明したが、カード処理機４０で同様の追加入金を行うことも可能である。
【００５３】
上述してきたように、本実施例１では、カード発行機２０又はカード処理機４０が、残高の使用有効期限を途過するとともにカード精算機５０で精算できない端数の残高が関連付けられたプリペイドカードを受け付け、追加入金を受け付けた際に、受け付けられたプリペイドカードに追加入金額分の残高を追加するよう構成したので、消費税徴収に伴って生じる端数分を有効期限を途過した場合に持ち越すことができる。特に、プリペイドカードの場合には当日しか利用できない場合が多いため、通常残高を持ち越すことはできないが、かかる構成により消費税徴収に伴って生じる端数分を通常残高と別扱いにして取り扱うことで、遊技客の不利を解消することができる。
【００５４】
また、端数として取り扱われる上限金額を設定記憶部１３２に記憶しておき、記憶した上限金額を任意に設定変更可能となるよう構成したので、カード精算機５０が収納する貨幣金種に応じて持ち越せる金額を柔軟に変更することができる。
【実施例２】
【００５５】
ところで、上記実施例１では、１枚のプリペイドカードを取り扱う場合について説明したが、ここでは複数枚のプリペイドカードを取り扱う場合について説明する。なお、システム構成等は上記実施例１と同様のものとなるので、ここではその説明を省略する。
【００５６】
図６は、本実施例２に係る遊技媒体貸出システムにおける複数のプリペイドカードの合算処理を説明するための説明図である。なお、ここでは説明の便宜上、同一のカード精算機５０を２台に分けて図示説明している。
【００５７】
図６に示すように、遊技客がカード精算機５０に１枚目のプリペイドカードを挿入すると（図中に示す１）、カード精算機５０からＴ／Ｃ１０に対して残高問い合わせが行われ（図中に示す２）、Ｔ／Ｃ１０はプリペイドカード管理テーブル１３１を参照して当該プリペイドカードの残高をカード精算機５０に送り返し（図中に示す３）、カード精算機５０の表示部上にこれまでの残高を表示する（図中に示す４）。例えば、当該プリペイドカードの残高が１０６４円である場合には、この残高がカード精算機５０の表示部上に表示される。
【００５８】
遊技客が、引き続き２枚目のプリペイドカードをカード精算機５０に挿入すると（図中に示す５）、同様にカード精算機５０からＴ／Ｃ１０に対して残高問い合わせが行われ（図中に示す６）、その残高がカード精算機５０に送信され（図中に示す７）、１枚目のプリペイドカードの残高（これまでの残高）と２枚目のプリペイドカードの残高（追加したカードの残高）と合計の残高が表示部に表示される（図中に示す８）。例えば、１枚目のプリペイドカードの残高が１０６５円であり、２枚目のプリペイドカードの残高が５５円である場合には、その両者の残高と合計残高１１２０円が表示される。
【００５９】
ここで、遊技客が精算ボタンを押下すると（図中に示す９）、合算金額がＴ／Ｃ１０に送信され（図中に示す１０）、一旦２枚目のプリペイドカードに合算金額が価値づけられるとともに１枚目のプリペイドカードの残高が０とされ（図中に示す１１）、この２枚目のプリペイドカードの合算金額が精算処理され、精算可能な１１００円の貨幣が出金されるとともに、残高２０円分が価値付けられた２枚目のプリペイドカードが排出される（図中に示す１２）。なお、複数のプリペイドカードのいずれに合計金額を価値づけても良く、また、価値付けられなかったプリペイドカードを装置内に収納するか外部に排出するかはいずれでも良い。
【００６０】
すなわち、本実施例２の特徴は、複数のプリペイドカードの残高を合算処理できる点にその特徴がある。遊技機で遊技を行う際に複数のプリペイドカードに残高が生ずる可能性がある点を考慮したものである。特に、消費税を徴収する場合には、１度数が１０５円（１００円＋消費税５％分）という金額になるため、精算できない端数を有する複数のプリペイドカードが生ずる可能が高い。この際、これら単体では精算できないが、これらをまとめると精算し得る場合があるため、精算機で合算する価値は高い。
【００６１】
次に、本実施例２に係るカード精算機５０の処理手順について説明する。図７は、本実施例２に係るカード精算機５０の処理手順を示すフローチャートである。同図に示すように、まずカード精算機５０はプリペイドカードの受け付け待ちの状態にあり（ステップＳ２０１）、プリペイドカードを受け付けたならば（ステップＳ２０１肯定）、発行日が当日であるか否かを判定する（ステップＳ２０２）。原則として、発行日が当日でなければプリペイドカードを精算することができないからである。
【００６２】
そして、発行日が当日でなければ（ステップＳ２０２否定）、プリペイドカードの残高が端数であるか否かを確認する（ステップＳ２０３）。プリペイドカードの残高が端数の場合には、例外的に翌日以降の使用を認めて、消費税徴収に伴う遊技客の不利益を緩和するためである。
【００６３】
その結果、発行日が当日でなく残高が端数でない場合には（ステップＳ２０２否定、Ｓ２０３否定）、精算不可を表示するとともに（ステップＳ２０４）、精算不可のプリペイドカードを排出する（ステップＳ２０５）。一方、発行日が当日である場合（ステップＳ２０２肯定）若しくは発行日が当日ではないが残高が端数である場合（ステップＳ２０３否定、Ｓ２０３肯定）には、残高を合算し（ステップＳ２０６）、合算金額を表示部に表示する（ステップＳ２０７）。すなわち、１枚目のプリペイドカードを受け付けた場合には、表示される合算金額はプリペイドカードの残高そのものであり、２枚目のプリペイドカードを受け付けた場合には、表示される合算金額は１枚目と２枚目の合算金額となる。
【００６４】
そして、プリペイドカードを追加受け付けするか否かを判定し（ステップＳ２０８）、追加受け付けする場合には（ステップＳ２０８肯定）ステップＳ２０２に移行して同様の処理を行う。
【００６５】
これに対して、プリペイドカードを追加受付することなく精算指示を受け付けた場合には（ステップＳ２０８否定、Ｓ２０９肯定）、合算金額のうち精算可能分を精算して該当する貨幣を払い出し（ステップＳ２１０）、端数金額をいずれかのプリペイドカードに価値付けて（ステップＳ２１１）、価値付けたプリペイドカードを排出する（ステップＳ２１４）。
【００６６】
一方、プリペイドカードの返却指示を受け付けた場合には（ステップＳ２１２肯定）、合算金額をいずれかのプリペイドカードに価値付け（ステップＳ２１３）、価値付けたプリペイドカードを排出する（ステップＳ２１４）。なお、ここでは返却指示を受け付けた場合に残高を合算することとしたが、残高の合算を行うことなくそのまま返却しても構わない。
【００６７】
上述したように、本実施例２では、カード精算機５０に複数のプリペイドカードが挿入された場合に、これらの残高を合算して精算するよう構成したので、複数のプリペイドカードを一挙に精算できるという効果が得られる。特に、消費税徴収をおこなう場合には、端数を有する記録媒体が数多く存在する可能性が高くなるため、端数を無駄にするという遊技客の不利益を解消することができる。この際、精算できない端数を複数のプリペイドカードの一つに関連付けて返却処理するよう構成したので、精算不可能分についてもプリペイドカードの一つに残置することができるため、遊技客による残高の把握が容易になるとともにＴ／Ｃ１０の残高管理が容易になるという効果を奏する。
【００６８】
なお、上記一連の説明では、端数分をプリペイドカードに価値付けて返却することとしたが、精算できない端数分のパチンコ玉を投出するよう構成することもできる。かかる場合には、精算不可能分についてもパチンコ玉として遊技客に返却できるため、全ての有価価値を遊技客が有効に利用することができる。また、遊技客が獲得したパチンコ玉を貯玉できる貯玉システムを採用する場合には、かかる精算不可能分を貯玉するよう構成することもできる。
【実施例３】
【００６９】
ところで、上記実施例２では、複数のプリペイドカードを合算して精算する場合について説明したが、精算を伴わずに合算のみを行ってプリペイドカードに合算金額を価値付けることもできるため、ここでは精算を伴わずに合算のみを行う場合について説明する。なお、システム構成等は上記実施例１と同様のものとなるので、ここではその説明を省略する。
【００７０】
図８は、本実施例３に係る遊技媒体貸出システムにおける複数のプリペイドカードの合算処理を説明するための説明図である。なお、ここでは説明の便宜上、同一のカード精算機５０を２台に分けて図示説明している。
【００７１】
図８に示すように、遊技客がカード精算機５０に１枚目のプリペイドカードを挿入すると（図中に示す１）、カード精算機５０からＴ／Ｃ１０に対して残高問い合わせが行われ（図中に示す２）、Ｔ／Ｃ１０はプリペイドカード管理テーブル１３１を参照して当該プリペイドカードの残高をカード精算機５０に送り返し（図中に示す３）、カード精算機５０の表示部上にこれまでの残高を表示する（図中に示す４）。例えば、当該プリペイドカードの残高が６５円である場合には、この残高がカード精算機５０の表示部上に表示される。
【００７２】
遊技客が、引き続き２枚目のプリペイドカードをカード精算機５０に挿入すると（図中に示す５）、同様にカード精算機５０からＴ／Ｃ１０に対して残高問い合わせが行われ（図中に示す６）、その残高がカード精算機５０に送信され（図中に示す７）、１枚目のプリペイドカードの残高（これまでの残高）と２枚目のプリペイドカードの残高（追加したカードの残高）と合計の残高が表示部に表示される（図中に示す８）。例えば、１枚目のプリペイドカードの残高が６５円であり、２枚目のプリペイドカードの残高が５５円である場合には、その両者の残高と合計残高１２０円が表示される。
【００７３】
ここで、遊技客が合算ボタンを押下すると（図中に示す９）、合算金額がＴ／Ｃ１０に送信され（図中に示す１０）、２枚目のプリペイドカードに合算金額が価値づけられるとともに１枚目のプリペイドカードの残高が０とされ（図中に示す１１）、この２枚目のプリペイドカードが排出される（図中に示す１２）。なお、複数のプリペイドカードのいずれに合計金額を価値づけても良く、また、価値付けられなかったプリペイドカードを装置内に収納するか外部に排出するかはいずれでも良い。
【００７４】
すなわち、本実施例３の特徴は、上記実施例２と同様に複数のプリペイドカードの残高を１枚のプリペイドカードに合算処理できる点にその特徴がある。遊技機で遊技を行う際に複数のプリペイドカードに残高が生ずる可能性がある点を考慮したものである。特に、消費税を徴収する場合には、１度数が１０５円（１００円＋消費税５％分）という金額になるため、精算できない端数を有する複数のプリペイドカードが生ずる可能が高い。この際、これら単体では精算できないが、これらをまとめると精算し得る場合があるため、精算機で合算する価値は高い。
【００７５】
次に、本実施例３に係るカード精算機５０の処理手順について説明する。図９は、本実施例３に係るカード精算機５０の処理手順を示すフローチャートである。同図に示すように、まずカード精算機５０はプリペイドカードの受け付け待ちの状態にあり（ステップＳ３０１）、プリペイドカードを受け付けたならば（ステップＳ３０１肯定）、発行日が当日であるか否かを判定する（ステップＳ３０２）。原則として、発行日が当日でなければプリペイドカードを精算することができないからである。
【００７６】
そして、発行日が当日でなければ（ステップＳ３０２否定）、プリペイドカードの残高が端数であるか否かを確認する（ステップＳ３０３）。プリペイドカードの残高が端数の場合には、例外的に翌日以降の使用を認めて、消費税徴収に伴う遊技客の不利益を緩和するためである。
【００７７】
その結果、発行日が当日でなく残高が端数でない場合には（ステップＳ３０２否定、Ｓ３０３否定）、精算不可を表示するとともに（ステップＳ３０４）、精算不可のプリペイドカードを排出する（ステップＳ３０５）。一方、発行日が当日である場合（ステップＳ３０２肯定）若しくは発行日が当日ではないが残高が端数である場合（ステップＳ３０３否定、Ｓ３０３肯定）には、残高を合算し（ステップＳ３０６）、合算金額を表示部に表示する（ステップＳ３０７）。すなわち、１枚目のプリペイドカードを受け付けた場合には、表示される合算金額はプリペイドカードの残高そのものであり、２枚目のプリペイドカードを受け付けた場合には、表示される合算金額は１枚目と２枚目の合算金額となる。
【００７８】
そして、プリペイドカードを追加受け付けするか否かを判定し（ステップＳ３０８）、追加受け付けする場合には（ステップＳ３０８肯定）ステップＳ３０２に移行して同様の処理を行う。
【００７９】
これに対して、プリペイドカードを追加受付することなく精算指示を受け付けた場合には（ステップＳ３０８否定、Ｓ３０９肯定）、合算金額のうち精算可能分を精算して該当する貨幣を払い出し（ステップＳ３１０）、端数金額をいずれかのプリペイドカードに価値付けて（ステップＳ３１１）、価値付けたプリペイドカードを排出する（ステップＳ３１５）。
【００８０】
一方、プリペイドカードの合算指示を受け付けた場合には（ステップＳ３１２肯定）、合算金額をいずれかのプリペイドカードに価値付け（ステップＳ３１３）、価値付けたプリペイドカードを排出する（ステップＳ３１５）。必ずしも精算を伴った合算を行うとは限らず、精算を前提としない合算も価値があるからである。なお、返却指示を受け付けた場合には（ステップＳ３１４肯定）、そのまま残高の合算を行うことなくプリペイドカードを返却する（ステップＳ３１５）。
【００８１】
上述したように、本実施例３では、カード精算機５０に複数のプリペイドカードが挿入された場合に、これらの残高を合算して一枚のプリペイドカードとして返却するよう構成したので、複数のプリペイドカードの残高をまとめることができるという効果を奏する。特に、消費税徴収をおこなう場合には、端数を有する記録媒体が数多く存在する可能性が高くなるため、端数を無駄にするという遊技客の不利益を解消することができる。
【００８２】
なお、上記一連の説明では、カード精算機５０で複数のプリペイドカードの合算を行って一枚のプリペイドカードにまとめる場合を示したが、本発明はこれに限定されるものではなく、カード処理機４０やカード発行機２０でこれらの合算を行うこともできる。
【産業上の利用可能性】
【００８３】
本発明にかかる遊技媒体貸出システムおよび記録媒体精算装置は、プリペイドカードシステム等を導入するパチンコ店などの遊技店が遊技客から消費税を徴収する場合に有用である。
【図面の簡単な説明】
【００８４】
【図１】本実施例１に係る遊技媒体貸出システムの全体構成を示すブロック図である。
【図２】図１に示した管理装置（Ｔ／Ｃ）の構成を示すブロック図である。
【図３】図１に示したプリペイドカード管理テーブルの一例を示す図である。
【図４】本実施例１に係る遊技媒体貸出システムにおけるプリペイドカードの発行〜精算までの処理を説明するための説明図である。
【図５】図１に示したカード発行機の処理手順を示すフローチャートである。
【図６】本実施例２に係る遊技媒体貸出システムにおける複数のプリペイドカードの合算処理を説明するための説明図である。
【図７】本実施例２に係るカード精算機の処理手順を示すフローチャートである。
【図８】本実施例３に係る遊技媒体貸出システムにおける複数のプリペイドカードの合算処理を説明するための説明図である。
【図９】本実施例３に係るカード精算機の処理手順を示すフローチャートである。
【符号の説明】
【００８５】
５  プリペイドカード
１０  管理装置（ターミナル・コントローラ：Ｔ／Ｃ）
１１  制御部（ＣＰＵ）
１２  記憶装置
１３  メモリ
１３１  プリペイドカード管理テーブル
１３２  設定記憶領域
１４  入力装置
１５  表示装置
１６  通信インタフェース（Ｉ／Ｆ）部
２０  カード発行機
４０  カード処理ユニット
４５  遊技機
５０  カード精算機
６０  島コントローラ
７０  ＬＡＮ
【図１】
2006122098.tif 000003
【図２】
2006122098.tif 000004
【図３】
2006122098.tif 000005
【図４】
2006122098.tif 000006
【図５】
2006122098.tif 000007
【図６】
2006122098.tif 000008
【図７】
2006122098.tif 000009
【図８】
2006122098.tif 000010
【図９】
2006122098.tif 000011